(57)【要約】【課題】  解決しようとする課題は、差動データ伝送用に於いて簡易な構成により発振器回路の低消費化を実現できる２出力信号型発振器回路を提供することである。【解決手段】本発明は、発振回路の信号をベース入力型のトランジスタに供給すると共に、該トランジスタのエミッタ出力をベース接地型増幅回路に供給した構成にしたことを特徴とする。【選択図】    図１
2005303411.tif 000002
【特許請求の範囲】
【請求項１】
コルピッツ型圧電発振回路と、第１のトランジスタと、第２のトランジスタとを備え、前記第１のトランジスタのエミッタと前記第２のトランジスタのエミッタとを接続し、該接続点を抵抗を介して接地し、前記第１のトランジスタのコレクタと前記第２のトランジスタのコレクタとを抵抗を介して電源に接続し、前記第１のトランジスタのベースとコレクタ間を抵抗を介して接続し、前記第２のトランジスタのベースとコレクタ間を抵抗を介して接続し、前記第１のトランジスタのベースに前記コルピッツ型圧電発振回路からの信号を供給するよう接続し、第１のトランジスタのコレクタを第１の出力信号を出力する出力端とし、前記第２のトランジスタのベースを容量を介して接地し、前記第２のトランジスタのコレクタを第２の出力信号を出力する出力端とし、前記第1の出力信号の位相と前記第２の出力信号の位相とが反転したもであることを特徴とする圧電発振回路。
【発明の詳細な説明】
【技術分野】
【０００１】
本発明は、高速データ通信等の周波数基準源として用いられる発振回路に関する。
【背景技術】
【０００２】
近年、データ通信の高速化を可能とした差動データ伝送方式には、周波数基準源として図５に示すような回路構成の水晶発振器が用いられていた。
即ち、図５は従来の水晶発振器の回路図を示すものである。
同図に示すように水晶発振器回路１００は、水晶振動子１０１と増幅回路を有する発振回路１０２とを備えると共に、発振回路の出力信号をＰＥＣＬ（Pseudo Emitter Coupled Logic）素子の入力端に接続したものであり、ＰＥＣＬ素子を用いたロジック制御によって２つの出力端Ｑ１ＯＵＴ、Ｑ２ＯＵＴからは互いの位相が１８０°異なる矩形波信号が発生する。
そしてこのような１８０°の位相差を有する２つの信号を使用した差動データ伝送方式では、１つの信号を使用する所謂シングルエンド方式の伝送方式と比較して、信号間の同位相ノイズ同士が相殺し合うので通信品質のノイズに対する影響が小さく、この為、信号振幅レベルを低く抑えることができるのでデータのスイッチング速度を高速化することが出来るという利点がある。
【０００３】
しかしながら、ＰＥＬＣ素子のが出力する矩形波信号を発生させる為には、水晶発振回路の出力レベルをＰＥＣＬ素子のスレッシュホールドレベル以上になるよう予め高く設定する必要があることから、水晶発振回路の消費電流の増加に伴い水晶発振器回路の消費電流化が実現できないという問題が発生する場合があった。
【特許文献１】特開２００２−２１７６８６
【発明の開示】
【発明が解決しようとする課題】
【０００４】
解決しようとする課題は、差動データ伝送用に於いて簡易な構成により発振器回路の低消費化を実現できる２出力信号型発振器回路を提供することである。
【課題を解決するための手段】
【０００５】
本発明は、発振回路の信号をベース入力型のトランジスタに供給すると共に、該トランジスタのエミッタ出力をベース接地型増幅回路に供給した構成にしたことを特徴とする。
【発明の効果】
【０００６】
本発明の発振回路は、ロジック回路を使用することなく位相差が１８０°異なる２つの出力信号を得ることが出来るので、発振回路出力が低レベルで足りる為、発振器回路の低消費電流かを実現できるという利点がある。
【発明を実施するための最良の形態】
【０００７】
図１は、本発明の圧電発振器の回路図である。
同図に示す発振器回路１は、水晶発振回路２とインターフェイス回路３とを備えると共に、水晶発振回路２の出力とインターフェイス回路３の入力とを容量４を介して接続したものである。
即ち、水晶発振回路２は、発振用トランジスタ５のベースを水晶振動子６と容量７との直列回路を介してＧＮＤに接続すると共に、発振用トランジスタ５のベースに抵抗８と抵抗９とからなるベースバイアス回路を接続し、発振用トランジスタ５のコレクタとコレクタ抵抗１０との接続点と、発振用トランジスタ５のエミッタとエミッタ抵抗１１との接続点とを容量１２を介して接続し、更に、発振用トランジスタ５のエミッタを容量１３を介してＧＮＤに接続するよう構成したものである。
【０００８】
一方、インターフェイス回路３は、第１のトランジスタ１４と第２のトランジスタ１５とのエミッタを抵抗１６を介してＧＮＤに接続し、第１のトランジスタ１４のコレクタと電源Ｖｃｃとの間に抵抗１７を挿入接続し、第２のトランジスタ１５のコレクタと電源Ｖｃｃとの間に抵抗１８を挿入接続し、更に、第１のトランジスタ１４のベースと第１のトランジスタ１４のコレクタとの間に抵抗１９を挿入接続し、第２のトランジスタ１５のベースと第２のトランジスタ１５のコレクタとの間に抵抗２０を挿入接続すると共に、第２のトランジスタ１５のベースを容量２１を介してＧＮＤに接続することにより第２のトランジスタ１５がベース接地増幅回路として機能するよう構成したものであり、第１のトランジスタ１４のベースと水晶発振回路２のトランジスタ５のエミッタとを容量４と抵抗２２とから成る直列回路を介して接続すると共に、第１のトランジスタ１４のコレクタを容量２３を介して出力端子／ＯＵＴに接続し、第２のトランジスタ１５のコレクタを容量２４を介して出力端子ＯＵＴに接続したものである。
尚、容量Ｃはバイパス用容量であり、抵抗Ｒは入力負荷抵抗である。
【０００９】
このような構成の圧電発振器回路は、水晶発振回路のエミッタに発生した正弦波信号の一部（入力信号）が容量４及び抵抗２２を介して第１のトランジスタ１４のベースに供給されるので、第１のトランジスタ１４のコレクタ及び出力端子／ＯＵＴには入力信号とは逆位相の信号（出力信号Ａ）が出力し、更に、第１のトランジスタ１４のエミッタには入力信号と同位相の信号が発生し、第２のトランジスタ１５がベース接地増幅回路であるから第２のトランジスタ１５のコレクタ及び出力端子ＯＵＴには入力信号と同位相の信号（出力信号Ｂ）が出力し、結果、出力端子／ＯＵＴと出力端子ＯＵＴから位相差が１８０°の２つの信号が得られるものである。
【００１０】
次に、本発明の圧電発振器回路の回路素子値を下記の如く設定した場合における、電源Ｖｃｃの値と出力信号の振幅レベルとの関係を図２に示し、電源Ｖｃｃの値と消費電流値との関係を図３に示し、また、本発明の効果と比較するものとしてＰＥＣＬ素子を使用して約1Ｖｐ−ｐの出力信号を得ることが出来る水晶発振器における電源Ｖｃｃと消費電流との関係を図４に示した。
容量４＝１００ｐＦ、水晶振動子6：１５６ＭＨｚ、容量７＝２０ｐＦ、抵抗８、９＝１０ｋΩ、抵抗１０＝２２Ω、抵抗１１＝１００Ω、容量１２＝１８ｐＦ、容量１３＝２０ｐＦ、抵抗１６、１７、１８＝４７Ω、抵抗２０＝１０ｋΩ、容量２１＝０．１μＦ、抵抗２２＝１８０Ω、容量２３、２４＝０．１μＦ、Ｃ＝０．１μＦ、Ｒ＝５０Ω
図２に示すように、本発明に基づく水晶発振器回路では、電源Ｖｃｃが３．０Ｖ〜３．６Ｖ
【００１１】
本発明に基づく水晶発振器回路は、図２に示すように電源Ｖｃｃの値が３．１Ｖ〜３．６Ｖの間にて２つの出力信号のレベルがほぼ同一レベルであると共に、消費電流が図３に示す如く約２８ｍＡ以下であり、図４に示したＰＥＣＬ素子を使用した場合が約４８ｍＡ以下であることから消費電流化に適したものであるといえる。
【図面の簡単な説明】
【００１２】
【図１】本発明に基づく圧電発振器の一実施例を示す回路図である。
【図２】本発明に基づく圧電発振器の電源と出力信号のレベルとの関係を示すものである。
【図３】本発明に基づく圧電発振器の電源と消費電流との関係を示すものである。
【図４】ＰＥＣＬ素子を使用した圧電発振器の電源と消費電流との関係を示すものである。
【図５】従来の圧電発振器の回路図を示すものである。
【符号の説明】
【００１３】
１  圧電発振器回路
２  水晶発振回路
３  インターフェイス回路
４、７、１２、１３、２１、２３、２４  容量
５、１４、１５  トランジスタ
６  水晶振動子
８、９、１０、１１、１６、１７、１８、１９、２０、２２  抵抗
【図１】
2005303411.tif 000003
【図２】
2005303411.tif 000004
【図３】
2005303411.tif 000005
【図４】
2005303411.tif 000006
【図５】
2005303411.tif 000007